(57)【要約】【課題】  鋳造のタクトタイムに影響を与えることなく管理コードを付与可能な鋳造技術を提供すること。【解決手段】  本発明では、砂型により鋳造され、管理コードが表示された鋳造品であって、管理コードは、凸状に形成された複数の文字と、複数の文字に隣接して形成され、先端に向かって断面積が小さくなる凸状の複数のドット群で表示された特殊文字と、の組み合わせ文字列で表示され、鋳造品の外表面に管理コードが鋳出されている。【選択図】      図５
2019048328.tif 000002
【特許請求の範囲】
【請求項１】
砂型により鋳造され、管理コードが表示された鋳造品であって、
前記管理コードは、
凸状に形成された複数の文字と、
前記複数の文字に隣接して形成され、先端に向かって断面積が小さくなる凸状の複数のドット群で表示された特殊文字と、
の組み合わせ文字列で表示され、
前記鋳造品の外表面に前記管理コードが鋳出されている
ことを特徴とする鋳造品。
【請求項２】
請求項1記載の鋳造品であって、
前記管理コードは、複数の文字が個別に形成されており、前記個別の複数の文字と前記個別の特殊文字を任意の位置で組み合わせた文字列であることを特徴とする鋳造品。
【請求項３】
請求項２記載の鋳造品であって、
前記特殊文字は、前記複数の文字列の端に隣接して配置されていることを特徴とする鋳造品。
【請求項４】
請求項１記載の鋳造品であって、
前記管理コードの文字は、凸状の先端が弧状に形成されていることを特徴とする鋳造品。
【請求項５】
砂型により鋳造され、管理コードが表示された鋳造品の製造方法であって、
前記管理コードは、
凸状に形成された複数の文字と、
前記複数の文字に隣接して形成され、複数の凸状のドット群で表示された特殊文字と、
の組み合わせ文字列で表示され、
製品情報に合わせて前記管理コードの文字が形成されたマーキング材を鋳造用母型の製品造型面に貼着する工程と、
製造条件の変化に応じて前記特殊文字の任意のドット部位を除去して管理コードを変更する工程と、
前記鋳造用母型により管理コードが転写された鋳造用砂型を造形する工程と、
前記鋳造用砂型に注湯し鋳造品の表面に前記管理コードを鋳出す工程と、
を有することを特徴とする鋳造品の製造方法。
【請求項６】
請求項５記載の鋳造品の製造方法であって、
前記マーキング材はベース部に文字部が形成され、
前記複数の文字が個別に形成されており、前記特殊文字のベース部は、前記複数の文字の少なくとも一つのベース部と一体に形成されていることを特徴とする鋳造品の製造方法。
【請求項７】
請求項６記載の鋳造品の製造方法であって、
前記特殊文字のドット群は、前記複数の文字と同等範囲に形成されていることを特徴とする鋳造品の製造方法。
【請求項８】
請求項５記載の鋳造品の製造方法であって、
前記特殊文字のドット群は、前記ベース部側より先端側の断面積が小さく形成されていることを特徴とする鋳造品の製造方法。
【請求項９】
請求項５記載の鋳造品の製造方法であって、
前記特殊文字のドット群は、ベース部から切り離された後のドット部位の見かけが切断されていないドット部位の見かけと異なることを特徴とする鋳造品の製造方法。
【請求項１０】
請求項９記載の鋳造品の製造方法であって、
前記特殊文字のドット群は、前記ドットの内部であって、前記ドットの切除箇所を含み底面が解放された空洞を有することを特徴とする鋳造品の製造方法。
【発明の詳細な説明】
【技術分野】
【０００１】
本発明は、管理コードを用いた鋳造技術に関する。
【背景技術】
【０００２】
従来、特許文献１に記載の技術では、熱硬化性の樹脂を含有する骨材に熱を加えて加工し、その後、硬化させて砂型部材を形成する。この砂型部材の溶湯が流れ込む領域に、振動する端子を接触させ、凹状の管理コードを彫り込む技術（以下、彫り込み工程と記載する。）が開示されている。
【先行技術文献】
【特許文献】
【０００３】
【特許文献１】特開２０１５−１３９７９１公報
【発明の概要】
【発明が解決しようとする課題】
【０００４】
近年、量産される製品を細かく管理する要求があり、情報量の増大に比例して文字数が増える傾向にある。しかしながら、上記特許文献１の方法では、砂型のキャビティ面に全ての管理コードを彫り込む必要があり、この彫り込み工程の時間が長くなるという問題があった。特に、一つの砂型で複数の製品を得る多数個取りを行う場合、製品ごとに管理コードを彫り込む必要がある。そうすると、彫り込み工程の時間が長くなり、次の砂型に溶湯を流し込むまでの時間（以下、鋳造のタクトタイムと記載する。）に間に合わなくなることで、鋳造効率の低下を招くという問題があった。
【０００５】
本発明は、上記課題に鑑みてなされたものであり、鋳造のタクトタイムに影響を与えることなく管理コードを付与可能な鋳造技術を提供することを目的とする。
【課題を解決するための手段】
【０００６】
上記目的を達成するため、本発明では、砂型により鋳造され、管理コードが表示された鋳造品であって、管理コードは、凸状に形成された複数の文字と、複数の文字に隣接して形成され、先端に向かって断面積が小さくなる凸状の複数のドット群で表示された特殊文字と、の組み合わせ文字列で表示され、鋳造品の外表面に管理コードが鋳出されている。
【発明の効果】
【０００７】
よって、ドットの変更のみで新たな管理コードを付与することができ、鋳造のタクトタイムに影響を与えることがない。また、例えば、管理コードを細分化して管理するためのマーキング材に関して、製品コードや年月日のように、変更頻度が低いコードは認識し易い複数の文字とし、１日当たり複数回の変更など高い頻度で変更する必要があるコードは凸状のドット群で構成される特殊文字の構成とした文字列からなる管理コードが鋳出された製品とすることにより、製品毎の識別及び管理を容易にできる。また、ダクタイル鋳物製品のように砂型で鋳造される生産品に対しても、頻繁に変化する鋳造条件に応じた細分化した管理コードを付与することができるため、高いトレーサビリティを実現することができる。特に、一つの砂型で多数個取りするような大量生産品についてはさらに識別が複雑化するが、文字列と特殊文字による管理コードの組み合わせの多様化が可能となり、各々の製品に異なる管理コードを付与することができる。
【図面の簡単な説明】
【０００８】
【図１】実施例１のダクタイル鋳物の鋳造工程を表す概略図である。
【図２】実施例１の砂型製造工程を表す概略図である。
【図３】実施例１の砂型製造工程を表す概略図である。
【図４】実施例１の砂型製造工程を表す概略図である。
【図５】実施例１の鋳出し用文字列のマーキング材を表す図である。
【図６】実施例１の第１マーキング材における凸状のアルファベット及び数字の部分断面図である。
【図７】実施例１の第２マーキング材における円錐台状のドット記号の部分断面図である。
【図８】実施例１の切断によるドット記号数の変更をロボットで行う場合の構成図である。
【図９】実施例１の第２マーキング材の切断工程を表す拡大図である。
【図１０】実施例１のドットの一部を切断した状態を表す図である。
【図１１】実施例１のダクタイル鋳物鋳造後のドット記号の視認性を表す特性図である。
【図１２】実施例１のダクタイル鋳物鋳造後のドット記号間の視認性を表す特性図である。
【図１３】実施例１の製造データ管理方法を表すフローチャートである。
【図１４】実施例１の製造データ管理方法を表すフローチャートである。
【図１５】実施例１の砂処理を表すフローチャートである。
【図１６】実施例１の溶湯処理を表すフローチャートである。
【図１７】実施例１の管理コード変更処理を表すフローチャートである。
【図１８】実施例１の製造工程を表す工程表である。
【図１９】実施例１の鋳造条件データサンプルである。
【図２０】実施例１の品質要因効果解析処理を表すフローチャートである。
【図２１】実施例１の品質要因効果解析処理において、強度に問題が生じた製品が出た場合の解析処理を表すフローチャートである。
【図２２】実施例２のマーキング材を表す斜視図である。
【図２３】実施例３のマーキング材を表す斜視図である。
【図２４】実施例４のマーキング材を表す斜視図である。
【図２５】実施例５の第２マーキング材における円錐台状のドット記号の部分断面図（図５のＢ−Ｂ'間）である。
【図２６】実施例６の第２マーキング材の一部を切断した状態を表す図である。
【図２７】実施例７の第２マーキング材の一部を切断した状態を表す図である。
【図２８】実施例８の第２マーキング材を表す上面斜視図及び側面斜視図である。
【図２９】実施例９の第２マーキング材を表す平面図である。
【図３０】実施例１０の第２マーキング材を表す上面斜視図及び側面斜視図である。
【図３１】実施例１１のマーキング材を表す斜視図である。
【図３２】実施例１２のマーキング材を表す概略図である。
【図３３】実施例１３のマーキング材を表す概略図である。
【図３４】他の実施例におけるマーキング材エリアを備えた製品の一例である。
【図３５】他の実施例におけるマーキング材エリアを備えた製品を多数個取りする一例である。
【発明を実施するための形態】
【０００９】
〔実施例１〕
図１は、実施例１のダクタイル鋳物の鋳造工程を表す概略図である。図１の上段が溶湯製造工程であり、中断が注湯工程であり、下段が砂型製造工程を表す。
溶湯製造工程では、溶解炉３０において鉄を主成分とする溶湯を製造し、処理用取鍋３１ａに小分けする。そして、調整装置３２を用い、処理用取鍋３１ａにMg等の球状化剤及びMnやCu等の接種剤を投入して化学組成を調整し、注湯用の取鍋３１に注いだ後、注湯すべき製造ラインの所定位置まで移動する。
【００１０】
図１下段及び図２〜４は、実施例１の砂型製造工程を表す概略図である。砂型製造工程では、下型１００内に下主型１０ｄを設置後、砂を充填して下側砂型１０２を作成する。同様に、上型１０１内に上主型１０ｕや湯口用型を設置後、図２に示すように、上主型１０ｕに対し、後述するマーキング材を貼り付け、砂を充填して湯口１１を備えた上側砂型１０３を作成する。このとき、図３に示すように、上側砂型１０３には、マーキング材に形成された情報が凹凸形状として転写される。そして、図４に示すように、下側砂型１０２に上側砂型１０３を重ね合わせることで、砂型１０４を製造する。以下、上主型１０ｕ及び下主型１０ｄを総称して主型１０とも記載する。
【００１１】
注湯工程では、製造ラインに砂型１０４が載置され、取鍋３１から湯口１１への注湯が完了すると、次の砂型１０４が搬送されて、取鍋３１から注湯される。ある砂型１０４に注湯を開始後、次の砂型１０４に注湯を開始するまでの時間をタクトタイムという。注湯工程が終了後、冷却されると、砂型１０４を崩してダクタイル鋳物を取り出し、湯口１１等の不要な部分を取り外して成形して製品とする。
【００１２】
実施例１のダクタイル鋳物には、管理コードが鋳出しにより付される。ダクタイル鋳物への管理コードとしての鋳出し文字は、個々の鋳造製品とその製造プロセス情報及び検査情報等との紐付けをデータベースに登録することにより、その製造過程における不具合が発生した際にその原因が容易に解明でき、不具合対応をスピーディにできる。また、市場に出た最終製品についても鋳造製品に鋳出しされた管理コードに基づきトレーサビリティを実現するための機能を有している。
【００１３】
図５は、実施例１の鋳出し用文字列のマーキング材を表す図である。実施例１の鋳出し用文字列は、日々のロット管理等を前提としたアルファベット及び数字からなる文字と、取鍋単位などに細分化管理が可能な特殊記号であるドットを組み合わせたドット記号とを併用して構成されている。ここで、ドットとは、平面部から円錐台状に立設された突起状部であり、ドット記号とは、複数のドットの組み合わせ（以下、ドット群とも記載する。）である。このアルファベット及び数字とドット群とによる文字列(以下、管理コードと記載する。)は、樹脂製プレートのマーキング材により形成される。マーキング材は、アルファベット及び数字を鋳出すための第１マーキング材１と、ドット記号を鋳出すための第２マーキング材２とを有する。ここで、第１マーキング材１に示す文字とは、特定のルールによらず一般的に共有された認識可能な記号を表し、第２マーキング材２に示す記号とは、特殊なルールによって認識可能な記号ないし特殊文字を表す。このマーキング材を鋳造砂型を造形する主型のキャビティ面に接着剤により予め取り付ける。これにより、砂型造形時点で管理コードが押印されるため、文字周縁部が型崩れすることなく造型でき、結果として鋳造製品への文字列の鋳出し精度を向上できる。
【００１４】
図６は実施例１の第１マーキング材における凸状のアルファベット及び数字の部分断面図（図５のＡ−Ａ'間）、図７は実施例１の第２マーキング材における円錐台状のドット記号の部分断面図（図５のＢ−Ｂ'間）である。図６に示すように、第１マーキング材１の文字列部分は、断面において高さｈ１の凸形状とされている。この円錐台状の形状は、先端部になるほど先細り形状を有する。仮に、円錐の傾斜角度θを７０度より大きくし、略直方体に近づけてしまうと、砂型への転写時にドットの形状が崩れやすいためである。すなわち、円錐台状の形状とすることで、砂型造形の際の成形性と、鋳造の際の湯廻り性を改善している。
【００１５】
また、図７に示すように、第２マーキング材２は、ドット記号部分を保持するプレート状のベース部２ａと、ベース部２ａの４隅にベース部２ａよりも外側にはみ出す位置に形勢されテーパ面２ｓを有するドット２ｂと、を有する。これにより、数センチメートル以下の狭い領域に複数のドットを形成した場合でも、切除によるパターン変更が容易となり、安定したドット２ｂのパターン変更が可能となる。また、ドット２ｂは、平面視において円形としているが、多角形としてもよい。多角形としても、鋳造後のドットの形状は、湯流れの影響で円錐台状の形状となるからである。また、複数のドット２ｂから形成される特殊記号の大きさは、第１マーキング材１に形成される１文字分の大きさと略同等に形成されている。すなわち、特殊文字であるドットを複数の文字の範囲(面積)と同等に形成したため、貼り付け面積が小さくなる。よって、貼り付け面が制限される母型であっても、貼着位置の選択自由度が増す。
【００１６】
また、ベース部２ａの厚みは、ｈ４とされている。ドット２ｂは、断面において高さｈ２の台形形状とされている。高さｈ２は、鋳造後において、ドット２ｂの切断前の高さと、ドット２ｂの切断後の高さとの違いが十分に視認可能な高さに設定されている。ドット２ｂは、内部が空洞とされており、中空内周壁２ｂ２と、中空天井壁２ｂ１とを有する。
【００１７】
中空天井壁２ｂ１の高さは、ｈ３とされている。ベース部２ａの厚みｈ４は、中空天井壁２ｂ１の高さｈ３よりも低く形成され、ｈ２＞ｈ３＞ｈ４の関係を有する。図１０は実施例１のドットの一部を切断した状態を表す図である。図１０に示すように、ドットの一部を切断して消失させ、その消失した数（残存する数でもよい）をカウントする、もしくはパターン認識により認識する。よって、ドット２ｂを切断する際、切断位置がばらついたとしても、ドット内部は空洞のため、ドット切断後の高さは０となる。これにより、切断後のドットの厚さばらつきを大幅に低減し、ドットのパターン変更の有無を容易に確認できる。また、鋳造時において、切断後のドットにより形成される砂型への湯流れを抑制できる。すなわち、切断位置のばらつきでドットの高さ変更が十分行われていない場合、砂型にドットが残り、湯流れが生じるおそれがある。これに対し、ドット内部を空洞としているため、切断後のドットの高さは０となり、砂型にドットが残ることがなく、鋳造後のドットの高さの差異を明確化できる。これにより、ドットパターン変更時の品質不良を抑制し、ダクタイル鋳物製品の安定した品質を確保できる。
【００１８】
また、実施例１のドットの先端２ｃは、平坦な形状とされており、過度に細くなる部分を回避することで、安定したドット形状を確保している。第２マーキング材２のドット記号は、例えば取鍋３１に溶湯が小分け(配湯)される毎に、ドット記号の所定箇所を切断することにより、容易に特殊記号の表示を変更できる。よって、取鍋３１ごとに管理コードを変更できる。
【００１９】
特に、一つの鋳造型で鋳造製品を複数鋳造する多数個取りの場合に、製造のタクトタイムに合わせて全ての鋳造製品の管理コードの変更をする必要がある。仮に、取鍋３１が変更される度に、マーキング材２を貼り直した場合、多数個のマーキング材２の貼り直しに時間がかかり、タクトタイムに間に合わせることができず、製造ラインの製造効率を向上することが困難である。これに対し、ドット記号の一つのドットを切断するだけであれば、多数個取りを行っていたとしても、全ての管理コードを短時間で変更でき、タクトタイムに影響を与えることがないため、製造効率の面で非常に有利である。
【００２０】
図８は実施例１の切断によるドット記号数の変更をロボットで行う場合の構成図、図９は実施例１の第２マーキング材の切断工程を表す拡大図である。ロボットRBの先端には、切断用ハンド１０５が取り付けられている。実施例１の切断用ハンド１０５は、はさみタイプ若しくはカッタータイプ等であり、ドットを切断する機能を有する。ロボットRBは、ロボットコンピュータRCにより作動状態が制御される。ロボットコンピュータRCは、生産管理コンピュータMCからの指令に基づいて、切断する第２マーキング材２のドット記号に対し、切断処理を実行する。これにより、下型１００の各キャビティ面に貼り付けた第２マーキング材２の一部を切断することにより、管理コードの表示を変更する。
【００２１】
図１１は実施例１のダクタイル鋳物鋳造後のドット記号の視認性を表す特性図である。横軸が鋳造前の第２マーキング材２のドット記号の直径W（図７参照）を表し、縦軸が鋳造後のドット記号の直径Wを表す。実施例１の鋳造工程では、樹脂性プレートからなる第２マーキング材２を下型１００に貼り付け、砂型に文字形状を転写する。次に、溶湯を注湯取鍋から砂型に注湯し冷却後、砂を除去し、ブラスト処理及び仕上げを行う。これらの鋳造工程を経たうえで、視認性が確保できるか否かを検討した。これによると、アルファベット及び数字と異なり、ドット記号は閉空間（穴）への溶湯の湯流れ性及びブラスト耐性が要求されるため、視認性確保には第２マーキング材２のドットの直径Wは、1.8mmが把握された。言い換えると、1.8mm未満の直径Wとした場合、鋳造後のドット記号の直径Wの劣化が激しく、十分な視認性を確保できないことが確認された。
【００２２】
図１２は実施例１のダクタイル鋳物鋳造後のドット記号間の視認性を表す特性図である。横軸が鋳造前の第２マーキング材２のドット記号間の間隔を表し、縦軸が鋳造後のドット記号間の間隔を表す。図７で述べた鋳造工程を経たうえで、第２マーキング材２のドット記号間隔に対する鋳造後のドット記号間隔の視認性が確保できるか否かを検討した。これによると、鋳造後のドット記号各々の視認性の確保が必要なドット記号間の間隔は、0.45mm以上に設計する必要があることが把握された。言い換えると、0.45mm未満の間隔とした場合、鋳造後のドット記号の間隔の劣化が激しく、十分な視認性を確保できないことが確認された。
【００２３】
図１３及び図１４は実施例１の製造データ管理方法を表すフローチャート、図１８は実施例１の製造工程を表す工程表、図１９は実施例１の鋳造条件データサンプルである。
ステップＳ１では、生産管理コンピュータMCにより１日の各種製品の生産計画を立案し、登録する。具体的には、各取鍋３１に対応した製品番号及び識別番号と、それに対応した生産量、生産時刻等、詳細な取鍋毎の生産計画情報を立案し、生産指示を行う。
ステップＳ２では、立案された生産計画に基づき、生産管理コンピュータMCからの指示に従って、第１及び第２マーキング材１，２が成形される。具体的には、ナンバリング設備によって、製品番号と識別番号をアルファベット及び数字からなる第１マーキング材１と、ドット記号からなる第２マーキング材２とを成形し、管理コードとして第１マーキング材１と第２マーキング材２とを組み合わせ、予め主型のキャビティ面に貼り付ける。このとき、製品番号・識別番号情報（１）を生産管理コンピュータMCに出力する。
【００２４】
ステップＳ３では、砂型に用いる砂に所定の添加物等を加えて撹拌する砂処理を行う。
図１５は実施例１の砂処理を表すフローチャートである。
ステップＳ３１では、再生砂に新砂・添加剤・水分を添加して混錬する。
ステップＳ３２では、圧縮強度や、ＣＢ値（コンパクタビリティ）分析を行う。
ステップＳ３３では、ステップＳ３２の分析値及び砂型処理条件（処理量、処理開始時刻、添加剤情報、混錬情報等）の製造データ（３）を生産管理コンピュータMCに出力する。
【００２５】
ステップＳ４では、ステップＳ２の管理コードが貼り付けられた主型と、ステップＳ３で処理された砂を用いて、製造ライン上で砂型を作製する。
ステップＳ５では、必要に応じて砂型に中子を挿入し、注湯する製造ラインの所定の位置まで砂型（鋳型）を移動する。この砂型及び中子の製造情報（３）は、主型の管理コードと紐付けされてデーターベース(外部記録)に記録される。
【００２６】
ステップＳ６では、溶湯処理を行う。図１６は実施例１の溶湯処理を表すフローチャートである。
ステップＳ６１では、溶解炉（元湯）にて、鉄を主成分とする溶湯を作製する。
ステップＳ６２では、主成分の分析（Ｆｅ,Ｃ等）を行う。
ステップＳ６３では、出湯するとともに、元湯の製造実績情報（出湯時刻、出湯温度、主成分情報等）を製造データ（２）として生産管理コンピュータMCに出力する。
ステップＳ６４では、処理を行う取鍋３１において、球状化処理剤及び接種剤を添加する。具体的には、生産計画に従い、溶解炉３０内の元湯である鉄を主成分とする溶湯を、小分けにして取鍋に移し、Mg等の球状化剤及び、MnやCu等の接種剤を投入して化学組成を調整する。
ステップＳ６５では、砂型１０４に注湯するための注湯取鍋に移し替え、注湯すべき製造ラインの所定の位置まで移動する。これら取鍋３１の接種剤等の情報（４）は取鍋番号とともにデータベースDB(外部記録)に記録される。
【００２７】
ステップＳ７では、砂型１０４に、成分調整した溶湯を注湯する。また、取鍋３１の製造実績情報（取鍋番号、注湯開始時刻、注湯終了時刻、処理量、成分情報）を製造データとして管理する。また、製造番号及び識別番号に対し、製造データ管理上の砂型情報及び溶湯情報を紐づけする。そして、生産計画の進行に応じて、管理コード変更処理を行う。
【００２８】
図１７は、実施例１の管理コード変更処理を表すフローチャートである。尚、この管理コード変更処理は、製造データ管理方法のフローの中で実施される。管理コードの変更に関して、理解を助けるために、あえて他のステップと重なるステップについても記載する。
ステップＳ７１では、管理コードを主型に貼付する。この処理は、上述のステップＳ４で実施される処理である。
ステップＳ７２では、砂型を造型する。この処理は、上述のステップＳ５で実施される処理である。
ステップＳ７３では、注湯取鍋から注湯する。この処理は、上述のステップＳ６で実施される処理である。
ステップＳ７４では、注湯した砂型造型数Ｓ１が生産計画数Ｓ２に到達したか否かを判断し、到達していなければステップＳ７２に戻って砂型造型を繰り返す。一方、到達したときはステップＳ７５に進む。
ステップＳ７５では、管理コードを一桁分以上変更したか否かを判断し、一桁分以上変更した場合は全ての管理コードの貼り替えが必要なため、本制御フローを終了する。一方、一桁分以上変更していない場合は、変更の余地があると判断してステップＳ７６に進む。
ステップＳ７６では、管理コードの一部を変更する。一部とは、第２マーキング材２のドットの切断に加え、日付等を表す第１マーキング材１の一部の貼り替えを表す。
ステップＳ７７では、管理コードを検査する。具体的には、管理コードが指示通り適切に切断もしくは貼り替えされたか否かをカメラの画像処理で確認、もしくは作業者の目視により確認する。不適切な場合は、ステップＳ７８に進み、生産計画に応じた管理コードとなるように貼り替える、もしくは適切にドットを切断し、適切な管理コードとする。適切な管理コードとなった場合はステップＳ７２に戻り、砂型の造型を開始する。
【００２９】
すなわち、管理コードに対応した生産計画数と、砂型１０４で造型した数量とが一致するまで同一管理コードで生産する。そして、製品の管理コードに対応した生産が終了後、管理コードを変更する。例えば、取鍋３１が変更された場合、ロボットコンピュータRCに対し、第２マーキング材２のドットを切断し、ドット数を変更する指令が出力される。また、第２マーキング材２のドットが全て切断された場合は、第２マーキング材２の貼り替えを行う。また、管理コード中の日付等の情報を表す第１マーキング材１の一部も併せて変更する場合は、管理コードのうちの変更が必要な第１マーキング材１の部分的な貼り替えを行う。このとき、管理コード（製品番号及び識別番号）、生産日、取鍋番号、生産開始時刻等の生産実績情報が生産管理コンピュータMCに送られる。
【００３０】
ここで、材料成分情報は各取鍋を砂型１０４に注湯した際に分析可能なテストピースを同時に作製し、このテストピースを用いて材料成分の分析を行う。分析手法としては、ICP発光分光分析や蛍光X線回折等が行われる。ICP発光分光分析では、分析サンプルを酸水溶液に溶解し、試料溶液を霧状にし、アルゴンガスで高周波誘導プラズマを生成する。そして、その中で試料溶液を発行させ、各元素特有の波長及びその発光強度から、定量的な化学組成を特定する。蛍光X線分析では、分析サンプルにX線を照射し、放射された各元素特有の蛍光X線から定量的な化学組成を特定する。
【００３１】
この分析結果及び取鍋番号が生産実績情報（４）として生産管理コンピュータMCに送られ、管理コード（製品番号及び識別番号）、取鍋番号、成分情報、作業時刻等が紐付けられる。この時、必要な場合には、各工程に直接関わる担当者が登録した作業者を選択し、同様に生産実績情報として管理する。
【００３２】
ステップＳ８では、ドラムクーラー工程を行う。具体的には、鋳物（製品）及び砂型１０４の冷却を行い、冷却完了後、回転ドラム内に鋳物及び砂型１０４を投入し、回転ドラムを回転しながら注水し、砂を除去する。このとき、砂除去条件情報（５）として、処理開始時刻、注水時間、注水量、回転数を製造データとして管理する。そして、製品番号及び識別番号に対して、製造データ管理上で砂除去条件情報を紐づける。
【００３３】
ステップＳ９では、堰折り工程を行う。具体的には、ゲートや湯道等の余剰造型部を除去する。このとき、余剰造型部除去条件情報（６）として、処理開始時刻、ゲート除去圧力、プレス圧力等を製造データとして管理する。そして、製品番号及び識別番号に対して、製造データ管理上で余剰造型部除去条件情報を紐づける。
【００３４】
ステップＳ１０では、ブラスト工程を行う。具体的には、鋳物（製品）の砂取り仕上げ処理及び仕上げ処理を実施する。このとき、ブラスト条件情報（７）として、処理開始時刻、処理時間、電流値等を製造データとして管理する。そして、製品番号及び識別番号に対して、製造データ管理上でブラスト条件情報を紐づける。
【００３５】
尚、堰折り工程やブラスト工程などの生産工程内で異なる取鍋３１が混同する場合には、各工程の条件情報を、取鍋単位で開始時刻と処理時間に基づいて、条件の変動をキー情報として収集する。そして、変動する条件の平均値及びばらつき量として例えば標準偏差等の２つのパラメータとして抽出することにより、取鍋単位での工程情報として管理できる。
【００３６】
ステップＳ１１では、検査工程を行う。具体的には、鋳物（製品）の外観検査、強度検査、硬度検査、巣や湯境の確認を行い、これらの検査結果情報（８）を製造データとして管理する。そして、製品番号及び識別番号に対して、製造データ管理上で検査結果情報を紐づける。
【００３７】
ステップＳ１２では、鋳物（製品）の出荷・配送を行う。このとき、製造番号及び識別番号に紐づけした鋳物（製品）の出荷・配送状況を、在庫管理のための出荷配送情報（９）として管理する。
ステップＳ１３では、製品番号及び識別番号に対応した製品に対して、顧客での品質情報を、リコール抑制のための製造データ（１０）として管理する。
【００３８】
上記各ステップから収集された造型データは、生産管理コンピュータMCに出力された後、データベースDBに記憶される。そして、品質要因効果解析コンピュータAMCは、データベースDBに記憶された情報に基づいて品質要因効果解析を行う。
図２０は実施例１の品質要因効果解析処理を表すフローチャートである。
ステップＳ１０１では、製品番号と識別番号をコード化する。
ステップＳ１０２では、識別番号と各種生産工程情報の紐づけを行う。
ステップＳ１０３では、識別番号と品質検査結果の紐づけを行う。
ステップＳ１０４では、良品及び不良品の現象を分類する。
ステップＳ１０５では、品質に影響を及ぼす生産工程情報（制御因子）と検査結果の相関解析を行う。
ステップＳ１０６では、品質向上を実現する生産工程情報（制御因子）の見直しと決定を行う。
【００３９】
図２１は実施例１の品質要因効果解析処理において、強度に問題が生じた製品（以下、強度ＮＧ品と記載する。）が出た場合の解析処理を表すフローチャートである。
ステップＳ２０１では、生産工程で収集した（１）から（７）の情報と、検査結果情報（８）とに基づいて、強度ＮＧ品の紐づけ情報を抽出する。
ステップＳ２０２では、強度に問題が生じていない製品（以下、強度ＯＫ品と記載する。）及び強度ＮＧ品の（１）〜（８）の過去のデータベース情報から、データマイニング等の解析により強度ＮＧ品に至るパターンを抽出する。
ステップＳ２０３では、データベース解析結果と今回の強度ＮＧ品の現象及び生産工程の情報を比較する。例えば、原因の一つは、生産工程情報（４）の取鍋のＭｇ添加量が少なく、その注湯時間が長いといったことを把握する。
ステップＳ２０４では、品質改善に必要な生産工程と、その条件抽出を行う。例えば、上記把握された原因に対し、生産工程情報（４）の取鍋の成分Ｍｇ添加量を増やし、かつ、その注湯時間を短くする対策を取る。
ステップＳ２０５では、安定した強度を実現する生産工程情報（制御因子）の見直しを行い、必要な個所に必要な対策を適用する。
【００４０】
〔実施例１の効果〕
以下、実施例１にあっては、下記の作用効果が得られる。
（１）砂型１０４により鋳造され、管理コードが表示された鋳造品であって、管理コードは、凸状に形成された複数の文字と、複数の文字に隣接して形成され、先端に向かって断面積が小さくなる凸状の複数のドット群で表示された特殊文字と、の組み合わせ文字列で表示され、鋳造品の外表面に管理コードが鋳出されている。
すなわち、管理コードを細分化して管理するためのマーキング材に関して、製品コードや年月日のように、変更頻度が低いコードは認識し易い複数の文字とし、１日当たり複数回の変更など高い頻度で変更する必要があるコードは凸状のドット群で構成される特殊文字の構成とした文字列からなる管理コードが鋳出された製品とすることにより、製品毎の識別及び管理を容易にできる。また、ダクタイル鋳物製品のように砂型で鋳造される生産品に対しても、頻繁に変化する鋳造条件に応じた細分化した管理コードを付与することができるため、高いトレーサビリティを実現することができる。特に、一つの砂型で多数個取りするような大量生産品についてはさらに識別が複雑化するが、文字列と特殊文字による管理コードの組み合わせの多様化が可能となり、各々の製品に異なる管理コードを付与することができる。
【００４１】
（２）管理コードは、複数の文字が個別に形成されており、個別の複数の文字と個別の特殊文字を任意の位置で組み合わせた文字列である。
すなわち、文字と特殊文字との任意の組み合わせから文字列を構成することで、多くの文字列パターンを構成できる。よって、複数種の製品を多数個取りで製造する際であっても少ない文字と特殊文字の組み合わせで多種類の文字列ができるため識別が容易になる。
【００４２】
（３）特殊文字は、複数の文字列の端に隣接して配置されている。すなわち、複数の文字の端に特殊文字を配置することにより特殊文字の視認性が改善する。よって、特殊文字が小さくても管理コードの品質を確保できる。
【００４３】
（４）砂型により鋳造され、管理コードが表示された鋳造品の製造方法であって、
管理コードは、凸状に形成された複数の文字と、複数の文字に隣接して形成され、複数の凸状のドット群で表示された特殊文字と、の組み合わせ文字列で表示され、
製品情報に合わせて管理コードの文字が形成されたマーキング材を鋳造用母型の製品造型面に貼着する工程と、
製造条件の変化に応じて特殊文字の任意のドット部位を除去して管理コードを変更する工程と、
鋳造用母型により管理コードが転写された鋳造用砂型を造形する工程と、
前記鋳造用砂型に注湯し鋳造品の表面に前記管理コードを鋳出す工程と、
を有する。
すなわち、管理コードを細分化して管理するためのマーキング材に関して、製品コードや年月日のように、変更頻度が低い管理コードの一部は認識し易い複数の文字とし、１日当たり複数回の変更など高い頻度で変更する必要があるコードは特殊文字の構成として鋳造した。これにより、ダクタイル鋳物製品のように砂型で鋳造される生産品に対しても、頻繁に変化する鋳造条件に応じた細分化した管理コードを付与することができるため、高いトレーサビリティを実現することができる。
【００４４】
（５）特殊文字のドット群は、ベース部２ａ側より先端側の断面積が小さく形成されている。言い換えると、ドットは円錐台状の先細り形状とすることで、砂型が崩れることなく、注湯した湯が砂型のドット転写の凹部に流れて安定した凸形状を形成する機能を有する。よって、特殊文字のドットに関して、鋳出された管理コードの安定した視認性を確保することができる
【００４５】
（６）特殊文字のドット群は、ドットの内部であって、ドットの切除箇所を含み底面が解放された空洞を有する。すなわち、母型の造型面に貼着した特殊文字に関して、ドットを切除した部分は空洞が現れるため、切除されていない他のドット比べて見た目が変化する機能を有する。よって、切除後のドットの有無を容易に確認することができるため、砂型転写前のドットのパターン変更に際して安定した管理コードの品質を確保できる。
【００４６】
（７）特殊文字のドット群は、複数の文字と同等範囲に形成されている。すなわち、特殊文字であるドットを複数の文字の範囲(面積)と同等に形成したため、貼り付け面積が小さくなる。よって、貼り付け面が制限される母型であっても、貼着位置の選択自由度が増す。
【００４７】
（８）鋳造用の砂型１０４を造型する主型１０の造型面に管理コードが設けられ、管理コードが鋳出された鋳造製品であって、管理コードは、凸状に形成された複数の文字と、複数の凸状のドットで構成され、ドットのパターンを変更可能な特殊記号であるドット記号と、の組み合わせ文字列で表示されている。
よって、ドット記号のパターンをドットの切除等によって変更することが可能となり、鋳造のタクトタイムに影響を与えることなく管理コードを素早く変更できる。
（９）ドットの直径を1.8mm以上とした。これにより、鋳出し転写性を確保することができ、鋳造後におけるドットの視認性及び識別性を確保できる。
（１０）ドットとドットの間隔を、0.45mm以上とした。これにより、鋳出し転写性を確保することができ、鋳造後におけるドットの視認性及び識別性を確保できる。
（１１）ドットの先端は、平坦な形状とされている。よって、過度に細くなる部分を回避することで、安定したドット形状を確保できる。
（１２）鋳造製品の製造データをデータベースに登録して管理する鋳造製品のデータ管理方法であって、鋳造用の砂型１０４を造型する主型１０の造型面に、複数の凸状のドットで構成され、該ドットのパターンを変更可能な特殊記号であるドット記号と、の組み合わせ文字列で構成される管理コードが形成されたマーキング材を設け、主型により砂型を造型し、該砂型により管理コードが鋳出された鋳造製品を鋳造し、管理コードと鋳造製品の製造データとを関連付けてデータベースDBに登録して管理する。
すなわち、ドット記号のパターンをドットの切除等によって変更することが可能となり、鋳造のタクトタイムに影響を与えることなく管理コードを素早く変更できる。そして、管理コードと製造データとを関連付けて管理することで、製品のトレーサビリティを向上できる。
（１３）管理コードは、生産計画に基づく生産指示によって設定される。よって、生産計画に応じた管理コードを付与できる。
【００４８】
（１４）取鍋３１ごとにドットを変更し、製品と取鍋３１と砂型１０４の製造データを管理コードに紐づけた。よって、製品ごとに鋳造工程の情報を管理できる。
（１５）中子を取り付けた場合には、中子の製造データを更に紐づける。よって、製品ごとに鋳造工程の情報を管理できる。
（１６）実施例１では、取鍋３１ごとにドットを変更したが、砂型１０４ごとにドットを変更してもよい。これにより、製品ごとに鋳造工程の情報を管理できる。
（１７）砂型１０４ごとにドットを変更する際、中子を取り付けた場合には、中子の製造データを更に紐づけることが望ましい。これにより、製品ごとに鋳造工程の情報を管理できる。
（１８）ドットを変更するときは、予め設定されたドットを切断することで管理コードを変更する。これにより、鋳造のタクトタイムに影響を与えることなく、管理コードを素早く変更できる。
（１９）ドットを切断するときは、ロボットRBにより自動的に切断する。よって、生産管理コンピュータMCからの指令信号に基づいて正確に管理コードを変更できる。
（２０）ロボットRBには、切断器具としてハサミを有する。よって生産管理コンピュータMCからの指令信号に基づいて、一部のドットを正確に切断できる。尚、切断器具としては、ハサミに限らずナイフ等を備えてもよい。
【００４９】
〔実施例２〕
図２２は実施例２のマーキング材を表す斜視図である。実施例１では、第１マーキング材１及び第２マーキング材２をそれぞれ文字や記号毎に張り付ける構成とした。これに対し、実施例２では、文字の一部とドットとを組み合わせた第３マーキング材２００を形成した点が異なる。第３マーキング材２００は、第１マーキング材１の文字以外の領域が拡大され、この拡大された領域に第２マーキング材２を貼り付けた構成とされている。これにより、例えば、全てのドットを切断後、文字の一部も含めて管理コードを変更したい場合、一つの第３マーキング材２００のみ張り替えることで、二つの情報を変更することができる。
【００５０】
（２１）マーキング材はベース部２ａに文字部が形成され、複数の文字が個別に形成されており、特殊文字のベース部は、複数の文字の少なくとも一つのベース部と一体に形成されている。すなわち、特殊文字を複数の文字に隣接して形成しているため、マーキング材として一体化が容易となり、取り扱い易くなる。よって、母型への貼着作業が容易にできる。
【００５１】
〔実施例３〕
図２３は実施例３のマーキング材を表す斜視図である。実施例１では、文字から構成された第１マーキング材１と、ドットから構成された第２マーキング材２とからマーキング材を構成した。これに対し、実施例３では、文字から構成された第１マーキング材１を排除し、全ての情報を複数の第２マーキング材２の組み合わせで管理コードを構成したものである。すなわち、ドット数を増大させることで、切断のみで変更可能な情報を増大させることができ、マーキング材の貼り替え作業を抑制できる。
【００５２】
〔実施例４〕
図２４は実施例４のマーキング材を表す斜視図である。実施例３では、４つのドットを備えた第２マーキング材２を組み合わせた。これに対し、実施例４では、６つのドットを備えた第４マーキング材３００と、４つのドットを備えた第２マーキング材２との組み合わせで管理コードを構成したものである。これにより、より複雑な管理コードを構成することが可能となり、マーキング材の貼り替え作業を抑制できる。
【００５３】
〔実施例５〕
図２５は実施例５の第２マーキング材における円錐台状のドット記号の部分断面図（図５のＢ−Ｂ'間）である。実施例１では、ドットの内部に空洞を形成した。これに対し、実施例５では、空洞の中空天井壁２ｂ１からベース部２ａ側に延びる柱部２ｂ３を形成した点が異なる。これにより、ドットの剛性を高めることができ、繰り返し砂型に転写する際に、ドットの潰れを抑制できる。尚、ドットの切断後は、柱部２ｂ３の一部は接着剤により固着されているため、中央部に柱部２ｂ３の断面が露出し、より視認性を確保できる。
【００５４】
〔実施例６〕
図２６は実施例６の第２マーキング材の一部を切断した状態を表す図である。実施例１では、ドット内を空洞とした。これに対し、実施例６では、空洞内に第２マーキング材２の色彩とは異なる色彩を有するマーカー２ｘが充填されているものである。これにより、ドットを切断した状態を目視する際の視認性を向上することができる。
【００５５】
（２２）特殊文字のドット群は、ベース部２ａから切り離された後のドット部位の見かけが、切断されていないドット部位の見かけと異なる。具体的には、空洞に色彩の異なるマーカー２ｘを充填する。すなわち、母型の造型面に貼着した特殊文字に関して、ドットを切除した部分は、切除されていない他のドット比べて見た目が変化する機能を有するため、切除後のドットの有無を容易に確認することができ、砂型転写前のドットのパターン変更に際して安定した管理コードの品質を確保できる。
【００５６】
〔実施例７〕
図２７は実施例７の第２マーキング材の一部を切断した状態を表す図である。実施例５では、ドット内の空洞に柱部２ｂ３を備えた。これに対し、実施例７では、ドット内の空洞に実施例６と同様のマーカー２ｘが充填されているものである。これにより、ドットを切断した状態を目視する際の視認性を更に向上できる。
【００５７】
〔実施例８〕
図２８は実施例８の第２マーキング材を表す上面斜視図及び側面斜視図である。実施例１では、ドットの内部に空洞を形成し、切断時における視認性を確保した。これに対し、実施例８では、ドットにベース部２ａとは異なる色彩を有するドット上部２ｂｘと、ベース部２ａと同じ色彩を有するドット下部２ｂｙとを有する。よって、ドットの切断時には、ドット上部２ｂｘを切り取ることで、ドット下部２ｂｙが切断部の上端に露出することとなり、切除されていない他のドットに比べて見た目が変化する機能を有するため、切除後のドットの有無を容易に確認することができ、砂型転写前のドットのパターン変更に際して安定した管理コードの品質を確保できる。
【００５８】
〔実施例９〕
図２９は実施例９の第２マーキング材を表す平面図である。実施例１では、ドットの途中を切断することで高さを変更した。これに対し、実施例９では、ベース部２ａとドット２ｂとの間に切り込み２ｄを有する。そして、ドット２ｂの数を変更する際には、ドット２ｂをベース部２ａから引きちぎる。これにより、切断箇所のばらつき等に起因した誤った判定を回避することができ、砂型転写前のドットのパターン変更に際して安定した管理コードの品質を確保できる。また、砂型転写時にもドットの切断後の残り部分等が転写されることがなく、鋳造後の視認性を確保できる。
【００５９】
〔実施例１０〕
図３０は実施例１０の第２マーキング材を表す上面斜視図及び側面斜視図である。実施例１では、ドット２ｂのテーパ面２ｓと先端２ｃとの間を鋭角に接続した形状とした。これに対し、実施例１０では、テーパ面２ｓと先端２ｃとの間に、所定の曲率半径を有する接続面２ｆを有する。言い換えると、ドット２ｂの凸状の先端が側面から見て弧状に形成されている。よって、砂型のエッジ部分における型崩れ等を防止でき、管理コードの視認性の向上及び管理コードとしての品質を向上できる。
【００６０】
〔実施例１１〕
図３１は実施例１１のマーキング材を表す斜視図である。実施例２では、第１マーキング材１に対して第２マーキング材２を張り付けて第３マーキング材２００を形成した。これに対し、実施例１１では、第１マーキング材１の文字以外の領域を拡大し、この拡大した領域内に複数のドット２ｂを形成した点が異なる。よって、実施例２のように第１マーキング材１に対して第２マーキング材２を貼り付ける手間を省くことができる。図３１（ａ）は、ドット形状としてテーパ面２ｓと先端２ｃとが鋭角に接続された例を示し、図３１（ｂ）は、ドット形状としてテーパ面２ｃと先端２ｃとが弧状の接続面２ｃを介して接続された例を示す。
【００６１】
〔実施例１２〕
図３２は実施例１２のマーキング材を表す概略図である。実施例１では、第１マーキング材１の文字を個別に形成し、文字を組み合わせて貼り付け、加えて第２マーキング材２を貼り付けて管理コードを形成した。これに対し、実施例１２では、管理コードの意味や更新頻度に応じて組み合わせたものである。例えば顧客製品群コードは１文字から構成し、メーカコードと造型金型内の配置位置コードとを２文字から構成し、製造年月日を表す複数の文字と日々の細分化情報を表すドットとから構成する。これにより、年月日などの更新頻度の高い部分を一つのマーキング材として構成でき、貼り替え作業の容易化を図ることができる。
【００６２】
〔実施例１３〕
図３３は実施例１３のマーキング材を表す概略図である。実施例１では、第１マーキング材１と第２マーキング材２とを別々に形成した。これに対し、実施例１３では、第２マーキング材２のベース部２ａ内に文字を形成した点が異なる。これにより、一文字分のスペースで、より複数の情報を提示することができ、貼り付け面積を効率化することで、貼り付け面が制限される母型であっても、貼着位置の選択自由度を更に増大できる。
【００６３】
図３４は、他の実施例におけるマーキング材エリアを備えた製品の一例、図３５は、他の実施例におけるマーキング材エリアを備えた製品を多数個取りする一例である。例えば、車両用ブレーキ装置のブレーキキャリパ６００を鋳造する際、図３５に示すように、一つの砂型から複数個分のブレーキキャリパを鋳造し、その後、型ばらしを行う。この段階では、ブレーキキャリパ６００の部分に加えて湯道やゲートが残存している状態である。この状態から、堰折り工程やブラスト工程を行い、一つのブレーキキャリパ６００とする。このとき、図３４に示すように、ブレーキキャリパの側面に部分的に窪んだマーキング材エリア６０１を有し、ここにマーキング材により形成された管理コード６００ａが形成される。これにより、型ばらしや砂落としの工程で互いの製品の衝突によるドット文字の変形を抑制できる。
【符号の説明】
【００６４】
１    第１マーキング材
２    第２マーキング材
２ａ    ベース部
２ｂ    ドット
２ｃ    先端
１０    主型
１０ａ    マーキング材エリア
１０ｄ    下主型
１０ｕ    上主型
１１    湯口
３０    溶解炉
３１    取鍋
３２    調整装置
１０２    下側砂型
１０３    上側砂型
１０４    砂型
１０５    切断用ハンド
６００    ブレーキキャリパ
６０１    マーキング材エリア
AMC    品質要因効果解析コンピュータ
DB    データベース
MC    生産管理コンピュータ
RB    ロボット
RC    ロボットコンピュータ
【図１】
2019048328.tif 000003
【図２】
2019048328.tif 000004
【図３】
2019048328.tif 000005
【図４】
2019048328.tif 000006
【図５】
2019048328.tif 000007
【図６】
2019048328.tif 000008
【図７】
2019048328.tif 000009
【図８】
2019048328.tif 000010
【図９】
2019048328.tif 000011
【図１０】
2019048328.tif 000012
【図１１】
2019048328.tif 000013
【図１２】
2019048328.tif 000014
【図１３】
2019048328.tif 000015
【図１４】
2019048328.tif 000016
【図１５】
2019048328.tif 000017
【図１６】
2019048328.tif 000018
【図１７】
2019048328.tif 000019
【図１８】
2019048328.tif 000020
【図１９】
2019048328.tif 000021
【図２０】
2019048328.tif 000022
【図２１】
2019048328.tif 000023
【図２２】
2019048328.tif 000024
【図２３】
2019048328.tif 000025
【図２４】
2019048328.tif 000026
【図２５】
2019048328.tif 000027
【図２６】
2019048328.tif 000028
【図２７】
2019048328.tif 000029
【図２８】
2019048328.tif 000030
【図２９】
2019048328.tif 000031
【図３０】
2019048328.tif 000032
【図３１】
2019048328.tif 000033
【図３２】
2019048328.tif 000034
【図３３】
2019048328.tif 000035
【図３４】
2019048328.tif 000036
【図３５】
2019048328.tif 000037